(57)【要約】【課題】  本発明はコネクタ部付き平衡伝送用平坦状ケーブルに関し、機器間及び機器内の接続のためのケーブルとして平坦状ケーブルの使用を可能とすることを目的とする。【解決手段】  プラグ型コネクタ部付き平衡伝送用フレキシブルプリントケーブル４０は、平衡伝送用フレキシブルプリントケーブル部材４１の両端にプラグ部形成部材７０が取り付けてあり、プラグ型コネクタ部８０が形成してある。ケーブル部材４１は、第1のフレキシブルプリントケーブル４２が第２のフレキシブルプリントケーブル６０上に重ねられ、両端の部分を除いて接着され、複数の個所で導通がとられている積層構造である。ケーブル部材４１の端部がプラグ部形成部材７０を挟むようにしてプラグ部形成部材７０に接着してある。プラグ型コネクタ部８０は、ケーブル部材４１の端子部自体が上下面に露出して整列している。【選択図】  図１
2006073367.tif 000002
【特許請求の範囲】
【請求項１】
対をなす信号伝送路とグランド部とが交互に並んでおり平衡伝送が可能である構成であり、且つ、端部に対をなす信号端子部とグランド端子部とが露出している構成の平衡伝送用平坦状ケーブル部材と、
該平衡伝送用平坦状ケーブル部材の端部に取り付けてあり、該平衡伝送用平坦状ケーブル部材の信号端子部自体とグランド端子部自体を端子部とするコネクタ部を形成するコネクタ部形成部材とよりなり、
上記平衡伝送用平坦状ケーブル部材の端部に上記コネクタ部を有してなる構成としたことを特徴とするコネクタ部付き平衡伝送用平坦状ケーブル。
【請求項２】
請求項１に記載のコネクタ部付き平衡伝送用平坦状ケーブルにおいて、
上記平衡伝送用平坦状ケーブル部材は、第１の平坦状ケーブルが第２の平坦状ケーブル上に積層されて端部を除いて接着してあり、上記第１の平坦状ケーブルの端部の上面に端子部を有し、上記第２の平坦状ケーブルの端部の下面に端子部を有する構成であり、
上記コネクタ部形成部材は、上記第１の平坦状ケーブルの端部と上記第２の平坦状ケーブルの端部との間に介在する板状の部材であり、
上記第１の平坦状ケーブルの端部を上記コネクタ部形成部材の上面に固定し、且つ上記第２の平坦状ケーブルの端部を上記コネクタ部形成部材の下面に固定してなり、
上記コネクタ部は、上記第１の平坦状ケーブルの端子部が上面に並び、上記第２の平坦状ケーブルの端子部が下面に並ぶプラグ型であることを特徴とするコネクタ部付き平衡伝送用平坦状ケーブル。
【請求項３】
請求項２に記載のコネクタ部付き平衡伝送用平坦状ケーブルにおいて、
上記コネクタ部形成部材は、その上面に、上記第１の平坦状ケーブルの端部が位置決めされる浅い凹状の平面部を有し、且つ、その下面に、上記第２の平坦状ケーブルの端部が位置決めされる浅い凹状の平面部を有する構成であり、
上記第１の平坦状ケーブルの端部は、上記コネクタ部形成部材の上面の浅い凹状の平面部に収まって位置決めされて接着固定してあり、
上記第２の平坦状ケーブルの端部は、上記コネクタ部形成部材の下面の浅い凹状の平面部に収まって位置決めされて接着固定してある構成としたことを特徴とするコネクタ部付き平衡伝送用平坦状ケーブル。
【請求項４】
請求項１又は請求項２に記載のコネクタ部付き平衡伝送用平坦状ケーブルと、
該コネクタ部付き平衡伝送用平坦状ケーブルのコネクタ部が接続されるコネクタとよりなる構成としたことを特徴とするコネクタ装置。
【請求項５】
請求項１に記載のコネクタ部付き平衡伝送用平坦状ケーブルの一部を構成する平衡伝送用平坦状ケーブル部材であって、
ベースシートの上面に、ペアを構成する＋信号を伝送させる第１の信号線パターン及び＋信号とは大きさが等しく逆向きの−信号を伝送させる第２の信号線パターンと、線状であるグランド線状パターンとが交互に並んでおり、且つ、上記ベースシートの端部は、グランド線状パターンの端のグランド端子部と第１の信号線パターンの端の第１の信号端子部とが交互に並んでいる構成である第1のフレキシブルプリントケーブルと、
ベースシートの下面に、面状であるグランド面状パターンが形成してあり、且つ、上記ベースシートの端部は、グランド面状パターンの端のグランド端子部と第２の信号端子部とが交互に並んでいる構成である第２のフレキシブルプリントケーブルとを有し、
上記第1のフレキシブルプリントケーブルが上記第２のフレキシブルプリントケーブル上に重ねられ、両端の部分を除いて接着され、且つ、上記第２の信号線パターンと上記第２の信号端子部とが導通接続してあり、且つ、上記グランド線状パターンと上記グランド面状パターンとが導通接続してある構成としたことを特徴とする平衡伝送用平坦状ケーブル部材。
【請求項６】
請求項１に記載のコネクタ部付き平衡伝送用平坦状ケーブルの一部を構成する平衡伝送用平坦状ケーブル部材であって、
グランド電線と、＋信号を伝送させるための第１の信号電線とが、交互に平行に並んだ状態で、電気絶縁性の被覆体内に配されており、且つ、端部は、上記被覆体のうち上面側の部分が取り除かれており、露出したグランド電線よりなるグランド端子部と露出した第１の信号電線よりなる第１の信号端子部が交互に並んでいる構成である第１のフレキシブルフラットケーブルと、
グランド電線と、＋信号とは大きさが等しく逆向きの−信号を伝送させるための第２の信号電線とが、交互に平行に並んだ状態で、電気絶縁性の被覆体内に配されており、且つ、端部は、上記被覆体のうち下面側の部分が取り除かれており、露出したグランド電線よりなるグランド端子部と露出した第２の信号電線よりなる第２の信号端子部が交互に並んでいる構成である第２のフレキシブルフラットケーブルとを有し、
上記第1のフレキシブルフラットケーブルが上記第２のフレキシブルフラットケーブル上に重ねられ、両端の部分を除いて接着してある構成としたことを特徴とする平衡伝送用平坦状ケーブル部材。
【請求項７】
信号伝送路が並んでおり、且つ、端部に端子部が露出している構成の平坦状ケーブル部材と、
該平坦状ケーブル部材の端部に取り付けてあり、平坦状ケーブル部材の端子部自体を端子部とするコネクタ部を形成するコネクタ部形成部材とよりなり、
上記平坦状ケーブル部材の端部に上記コネクタ部を有してなる構成としたことを特徴とするコネクタ部付き平坦状ケーブル。
【発明の詳細な説明】
【技術分野】
【０００１】
本発明はコネクタ部付き平衡伝送用平坦状ケーブルに係り、平衡伝送用平坦状ケーブルの端の端子部を、直接に、相手側のコネクタのコンタクトに接続できるようにしたコネクタ部付き平衡伝送用平坦状ケーブルに関する。
【０００２】
データの伝送の方式としては、データ毎に一本の電線を使用する通常の伝送方式と、データ毎に対をなす二本の電線を使用して、伝送すべき＋信号とこの＋信号とは大きさが等しく逆向きの−信号とを同時に伝送する平衡伝送方式がある。平衡伝送方式は、通常の伝送方式に比べてノイズの影響を受けにくいという利点を有しており、信号を高速で伝送する分野において多く採用されつつある。
【背景技術】
【０００３】
従来は二つの機器の間で信号を平衡伝送するため、及び一つの機器の内部で信号を平衡伝送するためには、ケーブルとして二重被覆構造のチューブの内部に複数本のペア電線が収まっている構造のケーブルを使用し、この端に、コンタクトが組み込んであるコネクタが接続してあるコネクタ付きのケーブルを使用している。
【特許文献１】特開２００３−０５９５９３号公報
【発明の開示】
【発明が解決しようとする課題】
【０００４】
従来のコネクタ付きのケーブルは、ケーブル自体のコストが高く、及びコネクタのコストが高く、高価であった。また、ケーブル自体が嵩張り、機器の内部の所定の場所と別の場所との間を接続するには不向きであった。
【０００５】
また、ペア電線とプリント基板上に実装してある固定側コネクタのコンタクトとは、間に、ケーブルの端のコネクタのコンタクトを介して接続されており、ペア電線の端とケーブルの端のコネクタのコンタクトとの接続部分が平衡伝送の特性に影響を及ぼす虞れがあった。
【０００６】
本発明は、上記の点に鑑みなされたものであり、小型化等を図ったコネクタ部付き平衡伝送用平坦状ケーブルを提供することを目的とする。
【課題を解決するための手段】
【０００７】
そこで、上記課題を解決するため、本発明は、対をなす信号伝送路とグランド部とが交互に並んでおり平衡伝送が可能である構成であり、且つ、端部に対をなす信号端子部とグランド端子部とが露出している構成の平衡伝送用平坦状ケーブル部材と、
該平衡伝送用平坦状ケーブル部材の端部に取り付けてあり、該平衡伝送用平坦状ケーブル部材の信号端子部自体とグランド端子部自体を端子部とするコネクタ部を形成するコネクタ部形成部材とよりなり、
上記平衡伝送用平坦状ケーブル部材の端部に上記コネクタ部を有してなる構成としたことを特徴とする。
【発明の効果】
【０００８】
本発明によれば、平衡伝送用平坦状ケーブルを使用して、機器と機器の間或いは機器の内部の二個所の間を接続することが可能となり、しかも、良好な平衡伝送の特性を確保することが可能である。
【発明を実施するための最良の形態】
【０００９】
次に本発明の実施の形態について説明する。
【実施例１】
【００１０】
図１（Ａ），（Ｂ）は本発明の実施例１の平衡伝送用フレキシブルプリントケーブルコネクタ装置１０を示す。平衡伝送用フレキシブルプリントケーブルコネクタ装置１０は、ソケット２０とプラグ型コネクタ部付き平衡伝送用フレキシブルプリントケーブル４０とからなる。同図（Ａ）はプラグ型コネクタ部付き平衡伝送用フレキシブルプリントケーブル４０をソケット２０と対向させて示し、同図（Ｂ）は接続された状態を示す。図２はプラグ型コネクタ部付き平衡伝送用フレキシブルプリントケーブル４０のプラグ型コネクタ部の端子部の配置とソケット２０のコンタクト部の配置とを示す。図２（Ａ）は図１（Ａ）に示す接続直前の状態における配置、図２（Ｂ）は図１（Ｂ）に示す接続された状態における配置を示す。図３は図１（Ａ）中、信号コンタクトの場所であるIII-III線に沿う断面図、図４は図１（Ａ）中、グランドコンタクトの場所であるIV-IV線に沿う断面図である。各図中、Ｘ１−Ｘ２、Ｚ１−Ｚ２は夫々プラグ型コネクタ部付き平衡伝送用フレキシブルプリントケーブル４００のプラグ型コネクタ部８０及びソケット２０の幅方向、高さ方向である。Ｙ１はプラグ型コネクタ部８０をソケット２０に挿入する方向、Ｙ２はプラグ型コネクタ部８０をソケット２０から抜く方向である。
【００１１】
［ソケット２０］
先ず、ソケット２０について説明する。図５、図６（Ａ）乃至（Ｄ）に示すように、ソケット２０は、所謂ライトアングル型であり、ソケット本体２１に、背面側（Ｙ１側）からライトアングル形状の第１、第２の信号コンタクト３１、３２及び同じくライトアングル形状のグランドコンタクト３３が並んで組み込んである構成である。ソケット本体２１は、電気絶縁性の樹脂成形部品であるソケット部品２２が金属板ケース２３で包まれている構成である。
【００１２】
ソケット本体２１は、中央に、プラグ型コネクタ部付き平衡伝送用フレキシブルプリントケーブル４０のプラグ型コネクタ部８０が挿入されるＸ１−Ｘ２方向に長い開口部２４を有し、両側に、ガイド孔２５ａ，２５ｂを有し、両側面にロック用開口２６ａ，２６ｂが形成してある。開口部２４の天板面及び下側面にはコンタクト部が嵌合するための溝２７，２８が形成してある。対をなす第１の信号コンタクト３１と第２信号コンタクト３２が対をなして列の方向（Ｚ１−Ｚ２方向）に並んでおり、且つ、この対をなす第１、第２の信号コンタクト３１，３２と、板状のグランドコンタクト３３とが行の方向（Ｘ１−Ｘ２方向）に交互に並んで組み込まれている。第１、第２の信号コンタクト３１，３２は、コンタクト部３１ａ，３２ａ及びライトアングル形状の実装用端子部３１ｂ，３２ｂを有する。グランドコンタクト３３は、フォーク状のコンタクト部３３ａ，３３ｂ及びライトアングル形状の実装用端子部３３ｃを有する。コンタクト部３１ａ及びコンタクト部３３ａが開口部２４の天板面の溝２７に嵌合しており、コンタクト部３２ａ及びコンタクト部３３ｂが開口部２４の下側面の溝２８に嵌合している。実装用端子部３１ｂ，３２ｂ、３３ｃは、ソケット本体２１の背面側に並んでいる。
【００１３】
ソケット２０は、図１乃至図４に示すように、実装用端子部３１ｂ，３２ｂ、３３ｃをプリント基板３５のパッドに半田付けされてプリント基板３５上に実装されて固定してある。
【００１４】
次に、プラグ型コネクタ部付き平衡伝送用フレキシブルプリントケーブル４０について説明する。
【００１５】
図７はプラグ型コネクタ部付き平衡伝送用フレキシブルプリントケーブル４０を平衡伝送用フレキシブルプリントケーブル部材４１とプラグ部形成部材７０とに分解して示す。
【００１６】
プラグ型コネクタ部付き平衡伝送用フレキシブルプリントケーブル４０は、平衡伝送用フレキシブルプリントケーブル部材４１の両端にプラグ部形成部材７０が取り付けてある構成である。
【００１７】
［平衡伝送用フレキシブルプリントケーブル部材４１］
先ず、平衡伝送用フレキシブルプリントケーブル（ＦＰＣ）部材４１について説明する。
【００１８】
図８は平衡伝送用フレキシブルプリントケーブル部材４１の構造を示し、図９は平衡伝送用フレキシブルプリントケーブル部材４１の端部の端子部の配置を拡大して示す。図１０は図８中Ｘ−Ｘ線に沿う断面図、図１１は平面図、図１２は底面図である。図１１及び図１２では、表面の保護膜は省略してある。
【００１９】
平衡伝送用フレキシブルプリントケーブル部材４１は、第1のフレキシブルプリントケーブル４２が第２のフレキシブルプリントケーブル６０上に重ねられ、両端の部分を除いて接着され、複数の個所で導通がとられている積層構造である。
【００２０】
第1のフレキシブルプリントケーブル４２は、図８、図１０及び図１１に示すように、合成樹脂製のベースシート４３の上面に、線状のグランドパターン４４と、第１の信号線パターン４５と、第２の信号線パターン４６とが並んで平行に形成してある。第１、第２の信号線パターン４５、４６は接近している。グランド線状パターン４４は幅Ｗが信号線パターン４５、４６に比較して広い。接近している第１、第２の信号線パターン４５、４６がグランド線状パターン４４でもって挟まれている。第１の信号線パターン４５は＋信号を伝送させるためのパターンであり、第２の信号線パターン４６は＋信号とは大きさが等しく逆向きの−信号を伝送させるためのパターンであり、第１、第２の信号線パターン４５、４６は対をなす。
【００２１】
第1のフレキシブルプリントケーブル４２のＹ１側の端部４２ａは、合成樹脂製のベースシート４３の上面に、グランド線状パターン４４の端のグランド端子部４４ａと第１の信号線パターン４５の端の第１の信号端子部４５ａとがＸ１−Ｘ２上交互に並んでいる構成である。第２の信号線パターン４６の端は、上記の端部４２ａの手前に位置するビア４７に接続してあり、ここが終端である。
【００２２】
第1のフレキシブルプリントケーブル４２のＹ２側の端部４２ｂは、ベースシート４３の上面に、グランド線状パターン４４の端のグランド端子部４４ｂと第１の信号線パターン４５の端の第１の信号端子部４５ｂとがＸ１−Ｘ２上交互に並んでいる構成である。第２の信号線パターン４６の端は、上記の端部４２ｂの手前に位置するビア４８に接続してあり、ここが終端である。
【００２３】
また、各グランド線状パターン４４には、ベースシート４３を貫通してベースシート４３の下面に到るビア４９が複数形成してある。
【００２４】
第1のフレキシブルプリントケーブル４２の上面には、端部４２ａ，４２ｂを除いて保護膜５０が形成してあり、グランド線状パターン４４と、第１の信号線パターン４５と、第２の信号線パターン４６、ビア４７，４８は保護膜５０で覆われている。
【００２５】
第２のフレキシブルプリントケーブル６０は、図８、図１０及び図１２に示すように、合成樹脂製のベースシート６１の下面には、端部６０ａ，６０ｂを除いて、面状のグランドパターン６２が形成してある。また、グランド面状パターン６２の外側の位置であって、上記のビア４７，４８に対応する位置に、ビア６３，６４が形成してある。
【００２６】
Ｙ１側の端部６０ａには、グランド端子部６２ａと第２の信号端子部６５ａとがＸ１−Ｘ２上交互に並んでいる。グランド端子部６２ａはグランド面状パターン６２より延びている。第２の信号端子部６５ａはビア６３とつながっている。
【００２７】
Ｙ２側の端部６０ｂには、グランド端子部６２ｂと第２の信号端子部６５ｂとがＸ１−Ｘ２上交互に並んでいる。グランド端子部６２ｂはグランド面状パターン６２より延びている。第２の信号端子部６５ｂはビア６４とつながっている。
【００２８】
また、グランド面状パターン５３には、上記のビア４９に対応する位置に、ベースシート６１を貫通してベースシート６３の上面に到るビア６６が複数形成してある。
【００２９】
第２のフレキシブルプリントケーブル６０の下面には、端部６０ａ，６０ｂを除いて保護膜６７が形成してあり、グランド面状パターン６２とビア６３，６４は保護膜６７で覆われている。
【００３０】
上記の第1のフレキシブルプリントケーブル４２が上記の第２のフレキシブルプリントケーブル６０上に重ねられ、両端の部分を除いて接着されている。また、図９に示すように、ビア４７とビア６３とが接続してある。ビア４８とビア６４とが同様に接続してある。図９及び図１０に示すように、ビア４７とビア６３とが接続してある。
【００３１】
平衡伝送用フレキシブルプリントケーブル部材４１の対をなす第１、第２の信号線パターン４５、４６についてみると、図１０に断面で示すように、第１、第２の信号線パターン４５、４６は、Ｘ１−Ｘ２方向上の両側をグランド線状パターン４４によって挟まれ、且つ、Ｚ２側をグランド面状パターン６２によって覆われて、シールドされており、外部からのノイズの影響を受け難い。
【００３２】
また、第１、第２の信号線パターン４５、４６、グランド線状パターン４４、グランド面状パターン６２はエッチングによって寸法精度よく形成してあり、且つ、ベースシート４３、６１の厚さも精度が良く、よって、第１、第２の信号線パターン４５、４６のインピーダンスは目標とする１００Ωに精度良く定まっている。
【００３３】
平衡伝送用フレキシブルプリントケーブル部材４１のＹ１側の端についてみると、端部４２ａと端部６０ａとは接着されていない状態で対向しており、図９に拡大して示すように、Ｚ１−Ｚ２方向上、グランド端子部４４ａとグランド端子部６２ａとが整列しており、第１の信号端子部４５ａと第２の信号端子部６５ａとが整列している。
これらグランド端子部４４ａ、６２ａ及び第１、第２の信号端子部４５ａ、６５は、ソケット２０内のコンタクト部３３ａ、３３ｂ及びコンタクト部３１ａ、３２ａの並びに対応して整列している。
【００３４】
平衡伝送用フレキシブルプリントケーブル部材４１のＹ２側の端についてみると、上記のＹ１側の端と同じく、端部４２ｂと端部６０ｂとは接着されていない状態で対向しており、Ｚ１−Ｚ２方向上、グランド端子部４４ｂとグランド端子部６２ｂとが整列しており、第１の信号端子部４５ｂと第２の信号端子部６５ｂとが、前記と同じく整列している。
【００３５】
［プラグ部形成部材７０］
次にプラグ部形成部材７０について説明する。
【００３６】
図７及び図１３（Ａ）乃至（Ｅ）に示すように、プラグ部形成部材７０は電気絶縁性の樹脂成形部品であり、Ｘ１−Ｘ２方向の中心のＹ軸線に関して対称である形状であり、両側のベース部７１，７２と、ベース部７１とベース部７２との間のプラグ芯部７３と、ベース部７１，７２の端よりＹ１方向に延在しているガイド腕部７４，７５と、ガイド腕部７４，７５の外側面のロック腕部７６，７７とを有する。
【００３７】
プラグ芯部７３は、Ｘ１−Ｘ２方向に長い板状であり、ソケット２０の開口部２４に嵌合する寸法であり、ベース部７１，７２よりもＹ１方向に突き出しており、Ｙ１方向端にテーパ部７３ａを有する。図７及び図１３（Ｃ）に示すように、プラグ芯部７３の上面（Ｚ１側の面）は、Ｙ１側、Ｘ１側、Ｘ２側に第1のフレキシブルプリントケーブル４２の厚さに対応する位置決めのための凸条部７３ｂ、７３ｃ，７３ｄを有し、三方の凸条部７３ｂ、７３ｃ，７３ｄの内側に端部４２ａに対応する形状の平面部７３ｅを有する。平面部７３ｅは、凸条部７３ｂ、７３ｃ，７３ｄに対して浅い凹状となっている。図１３（Ａ）に示すように、プラグ芯部７３の下面（Ｚ２側の面）も、プラグ芯部７３の上面と同じく、三方の凸条部７３ｆ、７３ｇ，７３ｈと端部６０ａに対応する形状であって浅い凹状の平面部７３ｉとを有する。
【００３８】
ガイド腕部７４，７５は、夫々角柱形状であり、ソケット２０のガイド孔２５ａ，２５ｂに嵌合する寸法を有する。
【００３９】
ロック腕部７６，７７は、Ｙ１側が固定である片持ち形状の腕部であり、Ｙ２側に操作部７６ａ，７７ａを有し、途中にロック用凸部７６ｂ，７７ｂを有する。
【００４０】
［プラグ型コネクタ部付き平衡伝送用フレキシブルプリントケーブル４０］
図７に示すように、平衡伝送用フレキシブルプリントケーブル部材４１のＹ１側の端の端部４２ａと端部６０ａとがＺ１−Ｚ２方向に離されて開かれ、図１、図３、図４に示すように、端部４２ａがプラグ部形成部材７０のプラグ芯部７３の上面の平面部７３ｅに収まって接着固定してあり、端部６０ａがプラグ芯部７３の上面の平面部７３ｉに収まって接着固定してあり、プラグ型コネクタ部８０が形成してある。
【００４１】
端部４２ａは、その先端の縁を凸条部７３ｂに突き当てられてＹ１−Ｙ２方向の位置を決定され、且つ両側を凸条部７３ｃ，７３ｄ及びベース部７１，７２の端によってＸ１−Ｘ２方向の位置を決定されている。端部６０ａについても、凸条部７３ｆ、７３ｇ，７３ｈ及びベース部７１，７２の端によって、Ｙ１−Ｙ２方向の位置を決定され、且つ両側を凸条部７３ｃ，７３ｄ及びベース部７１，７２の端によってＹ１−Ｙ２方向の位置及びＸ１−Ｘ２方向の位置を決定されている。
【００４２】
上記のプラグ型コネクタ部８０は、プラグ芯部７３が芯を形成することによって十分な機械的強度を有しており、グランド端子部４４ａ、６２ａ及び第１、第２の信号端子部４５ａ、６５ａがソケット２０内のコンタクト部３３ａ、３３ｂ及びコンタクト部３１ａ、３２ａの並びに対応して精度良く整列している構造を有する。
【００４３】
平衡伝送用フレキシブルプリントケーブル部材４１のＹ２側も、上記と同じくプラグ部形成部材と接着してあり、プラグ型コネクタ部が形成してある。
【００４４】
上記のプラグ型コネクタ部付き平衡伝送用フレキシブルプリントケーブル４０は、図１（Ｂ）に示すように、ガイド腕部７４，７５を夫々ガイド孔２５ａ，２５ｂに嵌合させてソケット２０に対する位置を決め、その後に、Ｙ１方向に強く押し込むことによって、プラグ型コネクタ部８０がソケット２０の開口部２４内に挿入されてソケット２０に接続される。接続されると、図２（Ｂ）に示す状態及び図３及び図４中二点鎖線で示す状態となり、グランド端子部４４ａ、６２ａが夫々グランドコンタクト３３のフォーク状のコンタクト部３３ａ，３３ｂと直接に接触され、第１の信号端子部４５ａが第１の信号コンタクト３１のコンタクト部３１ａと直接に接触され、第２の信号端子部６５ａが第２の信号コンタクト３２のコンタクト部３２ａと直接に接触される。
【００４５】
これによって、プラグ型コネクタ部付き平衡伝送用フレキシブルプリントケーブル４０とソケット２０との間で信号が平衡伝送される。ここで、特に、平衡伝送用フレキシブルプリントケーブル部材４１の端の第１、第２の信号端子部４５ａ、６５ａが間に何も介さずにコンタクト部３１ａ、３２ａに直接に電気的に接続されているため、プラグ型コネクタ部付き平衡伝送用フレキシブルプリントケーブル４０がソケット２０に接続されている個所での伝送特性の損失は最小となる。
【００４６】
また、ロック用凸部７６ｂ，７７ｂが夫々ロック用開口２６ａ，２６ｂと係合して、プラグ型コネクタ部付き平衡伝送用フレキシブルプリントケーブル４０はソケット２０に対してロックされる。
【実施例２】
【００４７】
図１４は本発明の実施例２のプラグ型コネクタ部付き平衡伝送用フレキシブルフラットケーブル（ＦＦＣ）１００を示す。このプラグ型コネクタ部付き平衡伝送用フレキシブルフラットケーブル１００は、実施例１における平衡伝送用フレキシブルプリントケーブル部材４１に代えて、平衡伝送用フレキシブルフラットケーブル部材１０１を使用し、この平衡伝送用フレキシブルフラットケーブル部材１０１の端をプラグ部形成部材７０に接着してなる構成である。
【００４８】
平衡伝送用フレキシブルフラットケーブル部材１０１は、図１５及び図１６に併せて示すように、第１のフレキシブルフラットケーブル１０２をこれと同じものである第２のフレキシブルフラットケーブル１１２上に重ねて、両端部を除いて接着してある構造である。平衡伝送用フレキシブルフラットケーブル部材１０１は、実施例１の平衡伝送用フレキシブルプリントケーブル部材４１に比較して安価である。
【００４９】
第１のフレキシブルフラットケーブル１０２は、グランド電線１０３と、＋信号を伝送させるための第１の信号電線１０４とが、交互に平行に並んだ状態で、電気絶縁性の被覆体１０５内に配されており、端部１０２ａは、被覆体１０５のうち上面側の部分が取り除かれており、電線１０３、１０４が露出して、露出している電線が形成するグランド端子部１０３ａ及び第１の信号端子部１０４ａが交互に並んで整列している構成である。
【００５０】
第２のフレキシブルフラットケーブル１１２は、グランド電線１１３と、＋信号とは大きさが等しく逆向きの−信号を伝送させるための第２の信号電線１１４とが、交互に平行に並んだ状態で、電気絶縁性の被覆体１１５内に配されており、端部１０１ａは、被覆体１１４のうち下面側の部分が取り除かれており、電線１１３、１１４が露出して、露出している電線が形成するグランド端子部１１３ａ及び第２の信号端子部１１４ａが交互に並んで整列している構成である。
【００５１】
第１のフレキシブルフラットケーブル１０２が第２のフレキシブルフラットケーブル１１２上に重ねて接着されてなる平衡伝送用フレキシブルフラットケーブル部材１０１では、第１の信号電線１０４と第２の信号電線１１４とが対をなして列の方向（Ｚ１−Ｚ２方向）に並んでおり、且つ、グランド電線１０３とグランド電線１１３も列の方向（Ｚ１−Ｚ２方向）に並んでおり、且つ、この対をなす第１、第２の信号電線１０４、１１４とグランド電線１０３、１１３とが行の方向（Ｘ１−Ｘ２方向）に交互に並んでいる。
【００５２】
平衡伝送用フレキシブルフラットケーブル部材１０１の第１のフレキシブルフラットケーブル１０２の端部１０２ａがプラグ部形成部材７０のプラグ芯部７３の上面に位置決めされて接着され、第２のフレキシブルフラットケーブル１１２の端部１１２ａがプラグ芯部７３の下面に位置決めされて接着されて、プラグ型コネクタ部１２０が形成してある。
【００５３】
プラグ型コネクタ部１２０は、プラグ芯部７３が芯を形成することによって十分な機械的強度を有しており、グランド端子部１０３ａ、１１３ａ及び第１、第２の信号端子部１０４ａ、１１４ａが図５及び図６に示すソケット２０内のコンタクト部３３ａ、３３ｂ及びコンタクト部３１ａ、３２ａの並びに対応して精度良く整列している構造を有する。
【００５４】
プラグ型コネクタ部付き平衡伝送用フレキシブルフラットケーブル部材１００も、実施例１のプラグ型コネクタ部付き平衡伝送用フレキシブルプリントケーブル４０と同じく、プラグ型コネクタ部１２０をソケット２０の開口部開口部２４内に挿入されて、グランド端子部１０３ａ、１１３ａ及び第１、第２の信号端子部１０４ａ、１１４ａをコンタクト部３３ａ、３３ｂ、３１ａ、３２ａに直接に接触されて接続される。
【００５５】
なお、プラグ部形成部材７０に代えてジャック部を形成する部材を使用し、且つ、平衡伝送用フレキシブルプリントケーブル部材の端部又は平衡伝送用フレキシブルフラットケーブル部材の端部の形状を変えて、端子部が互いに内側を向くジャック型のコネクタ部を、平衡伝送用フレキシブルプリントケーブル部材の端部又は平衡伝送用フレキシブルフラットケーブル部材の端部に有する構成とすることも可能である。
【００５６】
また、本発明は、通常の伝送方式に適用されるフレキシブルプリントケーブル部材或いはフレキシブルフラットケーブル部材の端部にプラグ部形成部材を設けて、端部にプラグ部を有する構成とすることも可能である。
【図面の簡単な説明】
【００５７】
【図１】本発明の実施例１の平衡伝送用フレキシブルプリントケーブルコネクタ装置を示す図である。
【図２】プラグ型コネクタ部の端子部の配置とソケットのコンタクト部の配置とを対応させて概略的に示す図である。
【図３】図１（Ａ）中、信号コンタクトの場所であるIII-III線に沿う拡大断面図である。
【図４】図１（Ａ）中、グランドコンタクトの場所であるIV-IV線に沿う拡大断面図である。
【図５】ソケットをコンタクトと併せて示す斜視図である。
【図６】ソケットを示す図である。
【図７】プラグ型コネクタ部付き平衡伝送用フレキシブルプリントケーブル部材の端部を分解して示す斜視図である。
【図８】平衡伝送用フレキシブルプリントケーブル部材を示す斜視図である。
【図９】図８の平衡伝送用フレキシブルプリントケーブル部材の端部の構成を概略的に示す斜視図である。
【図１０】図８中、Ｘ−Ｘ線に沿う拡大断面図である。
【図１１】図８の平衡伝送用フレキシブルプリントケーブル部材の平面図である。
【図１２】図８の平衡伝送用フレキシブルプリントケーブル部材の底面図である。
【図１３】プラグ部形成部材を示す図である。
【図１４】本発明の実施例２のプラグ型コネクタ部付き平衡伝送用フレキシブルプリントケーブル部材の一端部側を示す斜視図である。
【図１５】図１４中、XV-XV線に沿う拡大断面図である。
【図１６】図１４中、XVI-XVI線に沿う拡大断面図である。
【符号の説明】
【００５８】
１０  平衡伝送用フレキシブルプリントケーブルコネクタ装置
２０  ソケット
４０  プラグ型コネクタ部付き平衡伝送用フレキシブルプリントケーブル
４１  平衡伝送用フレキシブルプリントケーブル部材
４２  第1のフレキシブルプリントケーブル
４２ａ，４２ｂ  端部
４３  ベースシート
４４  グランド線状パターン
４４ａ  グランド端子部
４５  第１の信号線パターン
４５ａ  第１の信号端子部
４６  第２の信号線パターン
４６ａ  第２の信号端子部
４７、４８、４９  ビア
６０  第２のフレキシブルプリントケーブル
６０ａ，６０ｂ  端部
６１  ベースシート
６２  グランド面状パターン
６２ａ  グランド端子部
６３，６４  ビア
６５ａ  第２の信号端子部
７０  プラグ部形成部材
７１，７２  ベース部
７３  プラグ芯部
７３ｂ、７３ｃ，７３ｄ、７３ｆ、７３ｇ，７３ｈ  凸条部
７３ｅ、７３ｉ  平面部
７４，７５  ガイド腕部
８０  プラグ型コネクタ部
１００  プラグ型コネクタ部付き平衡伝送用フレキシブルフラットケーブル
１０１  平衡伝送用フレキシブルフラットケーブル部材
１０２  第１のフレキシブルフラットケーブル
１０３  グランド電線
１０３ａ  グランド端子部
１０４  第１の信号電線
１０４ａ  第１の信号端子部
１０５  被覆体
１１２  第２のフレキシブルフラットケーブル
１１３ａ  グランド端子部
１１４  第２の信号電線
１１４ａ  第２の信号端子部
１１５  被覆体
１２０  プラグ型コネクタ部
【図１】
2006073367.tif 000003
【図２】
2006073367.tif 000004
【図３】
2006073367.tif 000005
【図４】
2006073367.tif 000006
【図５】
2006073367.tif 000007
【図６】
2006073367.tif 000008
【図７】
2006073367.tif 000009
【図８】
2006073367.tif 000010
【図９】
2006073367.tif 000011
【図１０】
2006073367.tif 000012
【図１１】
2006073367.tif 000013
【図１２】
2006073367.tif 000014
【図１３】
2006073367.tif 000015
【図１４】
2006073367.tif 000016
【図１５】
2006073367.tif 000017
【図１６】
2006073367.tif 000018
【手続補正書】
【提出日】平成16年9月24日(2004.9.24)
【手続補正１】
【補正対象書類名】特許請求の範囲
【補正対象項目名】全文
【補正方法】変更
【補正の内容】
【特許請求の範囲】
【請求項１】
対をなす信号伝送路とグランド部とが交互に並んでおり平衡伝送が可能である構成であり、且つ、端部に対をなす信号端子部とグランド端子部とが露出している構成の平衡伝送用平坦状ケーブル部材と、
該平衡伝送用平坦状ケーブル部材の端部に取り付けてあり、該平衡伝送用平坦状ケーブル部材の信号端子部自体とグランド端子部自体を端子部とするコネクタ部を形成するコネクタ部形成部材とよりなり、
上記平衡伝送用平坦状ケーブル部材の端部に上記コネクタ部を有してなる構成としたことを特徴とするコネクタ部付き平衡伝送用平坦状ケーブル。
【請求項２】
請求項１に記載のコネクタ部付き平衡伝送用平坦状ケーブルにおいて、
上記平衡伝送用平坦状ケーブル部材は、第１の平坦状ケーブルが第２の平坦状ケーブル上に積層されて端部を除いて接着してあり、上記第１の平坦状ケーブルの端部の上面に端子部を有し、上記第２の平坦状ケーブルの端部の下面に端子部を有する構成であり、
上記コネクタ部形成部材は、上記第１の平坦状ケーブルの端部と上記第２の平坦状ケーブルの端部との間に介在する板状の部材であり、
上記第１の平坦状ケーブルの端部を上記コネクタ部形成部材の上面に固定し、且つ上記第２の平坦状ケーブルの端部を上記コネクタ部形成部材の下面に固定してなり、
上記コネクタ部は、上記第１の平坦状ケーブルの端子部が上面に並び、上記第２の平坦状ケーブルの端子部が下面に並ぶプラグ型であることを特徴とするコネクタ部付き平衡伝送用平坦状ケーブル。
【請求項３】
請求項２に記載のコネクタ部付き平衡伝送用平坦状ケーブルにおいて、
上記コネクタ部形成部材は、その上面に、上記第１の平坦状ケーブルの端部が位置決めされる浅い凹状の平面部を有し、且つ、その下面に、上記第２の平坦状ケーブルの端部が位置決めされる浅い凹状の平面部を有する構成であり、
上記第１の平坦状ケーブルの端部は、上記コネクタ部形成部材の上面の浅い凹状の平面部に収まって位置決めされて接着固定してあり、
上記第２の平坦状ケーブルの端部は、上記コネクタ部形成部材の下面の浅い凹状の平面部に収まって位置決めされて接着固定してある構成としたことを特徴とするコネクタ部付き平衡伝送用平坦状ケーブル。
【請求項４】
請求項１又は請求項２に記載のコネクタ部付き平衡伝送用平坦状ケーブルと、
該コネクタ部付き平衡伝送用平坦状ケーブルのコネクタ部が接続されるコネクタとよりなる構成としたことを特徴とするコネクタ装置。
【請求項５】
請求項１に記載のコネクタ部付き平衡伝送用平坦状ケーブルの一部を構成する平衡伝送用平坦状ケーブル部材であって、
ベースシートの上面に、ペアを構成する＋信号を伝送させる第１の信号線パターン及び＋信号とは大きさが等しく逆向きの−信号を伝送させる第２の信号線パターンと、線状であるグランド線状パターンとが交互に並んでおり、且つ、上記ベースシートの端部は、グランド線状パターンの端のグランド端子部と第１の信号線パターンの端の第１の信号端子部とが交互に並んでいる構成である第1のフレキシブルプリント配線板と、
ベースシートの下面に、面状であるグランド面状パターンが形成してあり、且つ、上記ベースシートの端部は、グランド面状パターンの端のグランド端子部と第２の信号端子部とが交互に並んでいる構成である第２のフレキシブルプリント配線板とを有し、
上記第1のフレキシブルプリント配線板が上記第２のフレキシブルプリント配線板上に重ねられ、両端の部分を除いて接着され、且つ、上記第２の信号線パターンと上記第２の信号端子部とが導通接続してあり、且つ、上記グランド線状パターンと上記グランド面状パターンとが導通接続してある構成としたことを特徴とする平衡伝送用平坦状ケーブル部材。
【請求項６】
請求項１に記載のコネクタ部付き平衡伝送用平坦状ケーブルの一部を構成する平衡伝送用平坦状ケーブル部材であって、
グランド電線と、＋信号を伝送させるための第１の信号電線とが、交互に平行に並んだ状態で、電気絶縁性の被覆体内に配されており、且つ、端部は、上記被覆体のうち上面側の部分が取り除かれており、露出したグランド電線よりなるグランド端子部と露出した第１の信号電線よりなる第１の信号端子部が交互に並んでいる構成である第１のフレキシブルフラットケーブルと、
グランド電線と、＋信号とは大きさが等しく逆向きの−信号を伝送させるための第２の信号電線とが、交互に平行に並んだ状態で、電気絶縁性の被覆体内に配されており、且つ、端部は、上記被覆体のうち下面側の部分が取り除かれており、露出したグランド電線よりなるグランド端子部と露出した第２の信号電線よりなる第２の信号端子部が交互に並んでいる構成である第２のフレキシブルフラットケーブルとを有し、
上記第1のフレキシブルフラットケーブルが上記第２のフレキシブルフラットケーブル上に重ねられ、両端の部分を除いて接着してある構成としたことを特徴とする平衡伝送用平坦状ケーブル部材。
【請求項７】
信号伝送路が並んでおり、且つ、端部に端子部が露出している構成の平坦状ケーブル部材と、
該平坦状ケーブル部材の端部に取り付けてあり、平坦状ケーブル部材の端子部自体を端子部とするコネクタ部を形成するコネクタ部形成部材とよりなり、
上記平坦状ケーブル部材の端部に上記コネクタ部を有してなる構成としたことを特徴とするコネクタ部付き平坦状ケーブル。
【手続補正２】
【補正対象書類名】明細書
【補正対象項目名】００１５
【補正方法】変更
【補正の内容】
【００１５】
図７はプラグ型コネクタ部付き平衡伝送用フレキシブルプリントケーブル４０を平衡伝送用フレキシブルプリント配線板部材４１（以下、平衡伝送用フレキシブルプリントケーブル部材という）とプラグ部形成部材７０とに分解して示す。
【手続補正３】
【補正対象書類名】明細書
【補正対象項目名】００１９
【補正方法】変更
【補正の内容】
【００１９】
平衡伝送用フレキシブルプリントケーブル部材４１は、第1のフレキシブルプリント配線板４２（以下、第1のフレキシブルプリントケーブルという）が第２のフレキシブルプリント配線板６０（以下、第２のフレキシブルプリントケーブルという）上に重ねられ、両端の部分を除いて接着され、複数の個所で導通がとられている積層構造である。